(57)【要約】      （修正有）【課題】被評価者の思考力、判断力、表現力、能動性、発案力、実行力、行動力及び／またはコミュニケーション能力を評価することを容易化する。【解決手段】複数の教育者端末、複数の採用者端末、複数の被評価者端末及び第３者端末が通信を回路網を介してサーバ２と接続する情報処理システムにおいて、サーバは、被評価者に設問を提供するための情報を出力する設問出力部と、前記設問に対する被評価者の回答を取得する回答取得部と、前記被評価者の回答に対する他の被評価者のリアクションを取得するリアクション取得部と、前記回答に関する情報に加えて前記他の被評価者のリアクションを用いて、前記被評価者の思考力、判断力、表現力、能動性、発案力、実行力、行動力、コミュニケーション能力、共感力及び影響力のうち少なくとも一つに関する評価を出力する評価出力部と、を有する。【選択図】図３
2020170460.tif 000002
【特許請求の範囲】
【請求項１】
被評価者に設問を提供するための情報を出力する設問出力部と、
前記設問に対する被評価者の回答を取得する回答取得部と、
前記被評価者の回答に対する他の被評価者のリアクションを取得するリアクション取得部と、
前記回答に関する情報に加えて前記他の被評価者のリアクションを用いて、前記被評価者の思考力、判断力、表現力、能動性、発案力、実行力、行動力、コミュニケーション能力、共感力及び影響力のうち少なくとも一つに関する評価を出力する評価出力部と、
を備える情報処理システム。
【請求項２】
前記評価出力部は、前記回答の数、前記回答を開始するまでに要する時間、及び／または前記回答に含まれる単語の独自性を用いて、前記被評価者の発案力に関する評価を出力する
請求項１に記載の情報処理システム。
【請求項３】
設問に対する過去の回答が蓄積されている第１のストレージと、
前記取得された回答を単語に分割する分割部と、
前記第１のストレージを参照して、前記分割された単語それぞれについて、同じ設問に対する過去の回答における出現確率を前記単語の独自性として決定する出現確率決定部と、
を備え、
前記評価出力部は、前記決定された出現確率を少なくとも用いて、前記被評価者の発案力に関する評価を出力する
請求項２に記載の情報処理システム。
【請求項４】
前記評価出力部は、前記決定された出現確率の中に、一つでも設定基準を下回る確率がある場合、一つでも設定基準を下回る確率がない場合と比べて前記発案力に関する評価が高くなるように当該発案力に関する評価を出力する
請求項３に記載の情報処理システム。
【請求項５】
前記評価出力部は、前記回答に関する情報を用いて、前記被評価者の思考力、判断力、表現力、能動性、発案力、実行力、行動力、コミュニケーション能力及び共感力のうち少なくとも一つに関する評価を出力し、
前記被評価者の思考力、判断力、表現力、能動性、発案力、実行力、行動力、コミュニケーション能力及び共感力のうち少なくとも一つに関する評価を被評価者毎に第２のストレージに記憶させる記憶処理部と、
前記第２のストレージを参照して、被評価者毎の前記評価を提供するための情報を出力する情報出力部と、
を備える請求項１から４のいずれか一項に記載の情報処理システム。
【請求項６】
前記第２のストレージには、被評価者による回答が被評価者毎に記憶されており、
採用担当者による被評価者の選択を取得する選択取得部を備え、
前記情報出力部は、当該選択された被評価者の回答を前記第２のストレージから読み出し、当該読み出した回答を提供するための情報を出力する
請求項５に記載の情報処理システム。
【請求項７】
第３のストレージには、被評価者毎に当該被評価者が所属する学校を識別する学校識別情報が関連付けられて記憶されており、
前記第２のストレージ及び前記第３のストレージを参照して、被評価者毎の思考力、判断力、表現力、能動性、発案力、実行力、行動力、コミュニケーション能力及び共感力のうち少なくとも一つに関する評価の学校毎の統計量を提供するための情報を出力する統計量出力部を更に備える
請求項５または６に記載の情報処理システム。
【請求項８】
前記設問出力部は、気づく力に関する設問、発案力に関する設問、または実現力に関する設問を提供するための情報を出力し、
前記評価出力部は、前記気づく力に関する設問に対する回答、発案力に関する設問に対する回答及び実現力に関する設問に対する回答のうち少なくとも一つの回答に関する情報を用いて、前記被評価者の能動性に関する評価を出力する
請求項１から７のいずれか一項に記載の情報処理システム。
【請求項９】
前記評価出力部は、被評価者の回答及び／または当該回答に対する他の被評価者のリアクションを用いて、教育者の能力を評価する
請求項１から８のいずれか一項に記載の情報処理システム。
【請求項１０】
設問出力部が、被評価者に設問を提供するための情報を出力するステップと、
回答取得部が、前記設問に対する被評価者の回答を取得するステップと、
リアクション取得部が、前記被評価者の回答に対する他の被評価者のリアクションを取得するステップと、
評価出力部が、前記回答に関する情報に加えて前記他の被評価者のリアクションを用いて、前記被評価者の思考力、判断力、表現力、能動性及び発案力、実行力、行動力、コミュニケーション能力、共感力、影響力のうち少なくとも一つに関する評価を出力するステップと、
を有する情報処理方法。
【請求項１１】
コンピュータを、
被評価者に設問を提供するための情報を出力する設問出力部と、
前記設問に対する被評価者の回答を取得する回答取得部と、
前記被評価者の回答に対する他の被評価者のリアクションを取得するリアクション取得部と、
前記回答に関する情報に加えて前記他の被評価者のリアクションを用いて、前記被評価者の思考力、判断力、表現力、能動性及び発案力、実行力、行動力、コミュニケーション能力、共感力、影響力のうち少なくとも一つに関する評価を出力する評価出力部と、
として機能させるためのプログラム。
【発明の詳細な説明】
【技術分野】
【０００１】
本発明は、情報処理システム、情報処理方法及びプログラムに関する。
【背景技術】
【０００２】
これまで、学校などの教育現場または会社における採用活動もしくは人事評価において、被評価者（例えば、生徒、応募者、採用候補者、被雇用者）の学力以外の能力も評価対象となっている。このような学力以外の能力を評価するのを支援するコンピュータが開発されており、例えば、特許文献１では、人間力を評価する支援装置が開示されている。
【０００３】
具体的には特許文献１では、支援装置は、ポートフォリオに基づいて学生が主観的に認識した人間力とその水準を具体的なデータに変換する主観的人間力評価機能を備えている。特許文献１では、周知のテキストマイニングの手法により、学生が書き込んだテキストを解析し、学生の人間力を評価している。なお、テキストマイニングによる解析では、例えば、人間力の各要素のそれぞれに多数の単語や複数の単語群（形容詞と名詞など、周知の形態素解析によって関連づけされた複数の単語）を対応付けした辞書を用意しておき、学生が書き込んだテキスト中に出現する単語（群）が属する要素を特定するとともに、その単語（群）の出現数に応じた評点、あるいは単語ごとに対応付けされている評点などを特定した要素ごとに加算していけば、その各要素の総合評点は、学生が主観的に認識した人間力を数値化した情報となることが開示されている。
【先行技術文献】
【特許文献】
【０００４】
【特許文献１】特開２００６−１７１２０２号公報
【発明の概要】
【発明が解決しようとする課題】
【０００５】
しかしながら、被評価者の思考力、判断力、表現力、能動性、発案力、実行力、行動力及び／またはコミュニケーション能力を評価することが難しいという問題がある。
【０００６】
本発明の一態様は、上記問題に鑑みてなされたものであり、被評価者の思考力、判断力、表現力、能動性、発案力、実行力、行動力及び／またはコミュニケーション能力を評価することを容易化する情報処理システム、情報処理方法及びプログラムを提供することを目的とする。
【課題を解決するための手段】
【０００７】
本発明の第１の態様に係る情報処理システムは、被評価者に設問を提供するための情報を出力する設問出力部と、前記設問に対する被評価者の回答を取得する回答取得部と、前記被評価者の回答に対する他の被評価者のリアクションを取得するリアクション取得部と、前記回答に関する情報に加えて前記他の被評価者のリアクションを用いて、前記被評価者の思考力、判断力、表現力、能動性、発案力、実行力、行動力、コミュニケーション能力、共感力及び影響力のうち少なくとも一つに関する評価を出力する評価出力部と、を備える。
【０００８】
この構成によれば、被評価者の思考力、判断力、表現力、能動性、発案力、実行力、行動力、コミュニケーション能力、共感力及び影響力の評価について、他の被評価者のリアクションを加味して決定することができるので、より他の被評価者を納得させる回答をした者の評価を高めることができるので、より客観的に評価することができる。
【０００９】
本発明の第２の態様に係る情報処理システムは、前記評価出力部は、前記回答の数、前記回答を開始するまでに要する時間、及び／または前記回答に含まれる単語の独自性を用いて、前記被評価者の発案力に関する評価を出力する。
【００１０】
この構成によれば、回答の数が多いほど発案力に関する評価を高くし、回答を開始するまでに要する時間が短いほど発案力に関する評価を高くし、回答に含まれる単語の独自性が高いほど発案力に関する評価を高くすることができる。このように、発案力に関する評価を自動で評価することができるので、被評価者の発案力を評価することを容易化することができる。
【００１１】
本発明の第３の態様に係る情報処理システムは、第２の態様に係る情報処理システムであって、設問に対する過去の回答が蓄積されている第１のストレージと、前記取得された回答を単語に分割する分割部と、前記第１のストレージを参照して、前記分割された単語それぞれについて、同じ設問に対する過去の回答における出現確率を前記単語の独自性として決定する出現確率決定部と、を備え、前記評価出力部は、前記決定された出現確率を少なくとも用いて、前記被評価者の発案力に関する評価を出力する。
【００１２】
この構成によれば、出現頻度が低い単語を含む回答をした者の発案力に関する評価を高くし、出現頻度が高い単語を含む回答をした者の発案力に関する評価を低くすることができ、個性的な回答をした被評価者の評価を高くすることができる。その結果、被評価者が個性的な回答をするように誘導することができる。
【００１３】
本発明の第４の態様に係る情報処理システムは、第３の態様に係る情報処理システムであって、前記評価出力部は、前記決定された出現確率の中に、一つでも設定基準を下回る確率がある場合、一つでも設定基準を下回る確率がない場合と比べて前記発案力に関する評価が高くなるように当該発案力に関する評価を出力する。
【００１４】
この構成によれば、出現頻度が低い単語を含む回答をした者の発案力に関する評価を高くすることにより、被評価者が個性的な回答をするように誘導することができる。
【００１５】
本発明の第５の態様に係る情報処理システムは、第１から４のいずれかの態様に係る情報処理システムであって、前記評価出力部は、前記回答に関する情報を用いて、前記被評価者の思考力、判断力、表現力、能動性、発案力、実行力、行動力、コミュニケーション能力及び共感力のうち少なくとも一つに関する評価を出力し、前記被評価者の思考力、判断力、表現力、能動性、発案力、実行力、行動力、コミュニケーション能力及び共感力のうち少なくとも一つに関する評価を被評価者毎に第２のストレージに記憶させる記憶処理部と、前記第２のストレージを参照して、被評価者毎の前記評価を提供するための情報を出力する情報出力部と、を備える。
【００１６】
この構成によれば、教育者（例えば、教師）は、担当する被評価者（例えば、生徒）それぞれの思考力、判断力、表現力、能動性、発案力、実行力、行動力、コミュニケーション能力及び共感力のうち少なくとも一つに関する評価を把握することができ、被評価者それぞれが足りない能力（伸ばすべき能力）を把握することができるので、被評価者それぞれ毎に応じた指導をすることができる。また、採用担当者は、被評価者（例えば、採用応募者もしくは採用候補者）それぞれの思考力、判断力、表現力、能動性、発案力、実行力、行動力、コミュニケーション能力及び共感力のうち少なくとも一つに関する評価を把握することができ、採用基準を満たす能力を有する人材を容易に見つけることができ、採用に係る工数を減少させることができる。
【００１７】
本発明の第６の態様に係る情報処理システムは、第５の態様に係る情報処理システムであって、前記第２のストレージには、被評価者による回答が被評価者毎に記憶されており、採用担当者による被評価者の選択を取得する選択取得部を備え、前記情報出力部は、当該選択された被評価者の回答を前記第２のストレージから読み出し、当該読み出した回答を提供するための情報を出力する。
【００１８】
この構成によれば、採用担当者は、被評価者（例えば、採用応募者もしくは採用候補者）の実際の回答内容を把握することができ、採用基準を満たす能力を有する被評価者について更に詳しく回答内容を精査することができ、被評価者が、採用担当者の会社にマッチしているかどうかをより深く精査することができる。
【００１９】
本発明の第７の態様に係る情報処理システムは、第５または６の態様に係る情報処理システムであって、第３のストレージには、被評価者毎に当該被評価者が所属する学校を識別する学校識別情報が関連付けられて記憶されており、前記第２のストレージ及び前記第３のストレージを参照して、被評価者毎の思考力、判断力、表現力、能動性、発案力、実行力、行動力、コミュニケーション能力及び共感力のうち少なくとも一つに関する評価の学校毎の統計量を提供するための情報を出力する統計量出力部を更に備える。
【００２０】
この構成によれば、学生もしくは当該学生の保護者が志望校、受験校もしくは進学校を選択する場合において、各能力の統計量を学校間で比較することができるので、各学校の思考力、判断力、表現力、能動性、発案力、実行力、行動力、コミュニケーション能力及び共感力のうち少なくとも一つに関する評価に基づいて、志望校、受験校もしくは進学校を選択することができる。
【００２１】
本発明の第８の態様に係る情報処理システムは、第１から７のいずれかの態様に係る情報処理システムであって、前記設問出力部は、気づく力に関する設問、発案力に関する設問、または実現力に関する設問を提供するための情報を出力し、前記評価出力部は、前記気づく力に関する設問に対する回答、発案力に関する設問に対する回答及び実現力に関する設問に対する回答のうち少なくとも一つの回答に関する情報を用いて、前記被評価者の能動性に関する評価を出力する。
【００２２】
この構成によれば、被評価者の能動性を伸ばすことができるとともに、被評価者の能動性を評価することができる。
【００２３】
本発明の第９の態様に係る情報処理システムは、第１から８のいずれかの態様に係る情報処理システムであって、前記評価出力部は、被評価者の回答及び／または当該回答に対する他の被評価者のリアクションを用いて、教育者の能力を評価する。
【００２４】
この構成によれば、教育者を評価することができる。
【００２５】
本発明の第１０の態様に係る情報処理方法は、設問出力部が、被評価者に設問を提供するための情報を出力するステップと、回答取得部が、前記設問に対する被評価者の回答を取得するステップと、評価出力部が、前記回答の数、前記回答を開始するまでに要する時間、及び／または前記回答に含まれる単語の独自性を用いて、前記被評価者の発案力に関する評価を出力するステップと、を有する。
【００２６】
この構成によれば、回答の数が多いほど発案力に関する評価を高くし、回答を開始するまでに要する時間が短いほど発案力に関する評価を高くし、回答に含まれる単語の独自性が高いほど発案力に関する評価を高くすることができる。このように、発案力に関する評価を自動で評価することができるので、被評価者の発案力を評価することを容易化することができる。
【００２７】
本発明の第１１の態様に係るプログラムは、コンピュータを、被評価者に設問を提供するための情報を出力する設問出力部と、前記設問に対する被評価者の回答を取得する回答取得部と、前記回答の数、前記回答を開始するまでに要する時間、及び／または前記回答に含まれる単語の独自性を用いて、前記被評価者の発案力に関する評価を出力する評価出力部と、として機能させるためのプログラムである。
【００２８】
この構成によれば、回答の数が多いほど発案力に関する評価を高くし、回答を開始するまでに要する時間が短いほど発案力に関する評価を高くし、回答に含まれる単語の独自性が高いほど発案力に関する評価を高くすることができる。このように、発案力に関する評価を自動で評価することができるので、被評価者の発案力を評価することを容易化することができる。
【発明の効果】
【００２９】
本発明の一態様によれば、被評価者の思考力、判断力、表現力、能動性、発案力、実行力、行動力、コミュニケーション能力、共感力及び影響力の評価について、他の被評価者のリアクションを加味して決定することができるので、より他の被評価者を納得させる回答をした者の評価を高めることができるので、より客観的に評価することができる。
【図面の簡単な説明】
【００３０】
【図１】本実施形態に係る情報処理システムの概略構成図である。
【図２】本実施形態に係る被評価者端末の概略構成図である。
【図３】本実施形態に係るサーバの概略構成図である。
【図４】本実施形態に係る教育者端末の概略構成図である。
【図５】本実施形態に係る採用者端末の概略構成図である。
【図６】本実施形態に係るサーバのストレージに記憶されているマスタテーブルの例である。
【図７】本実施形態に係るサーバのストレージに記憶されているマスタテーブルの例の続きである。
【図８】本実施形態に係るサーバのストレージに記憶されているテーブルの例である。
【図９】被評価者端末に表示される、気づく力に関する設問の画面の一例である。
【図１０】被評価者端末に表示される、発案力に関する設問の画面の第１の例である。
【図１１】被評価者端末に表示される、発案力に関する設問の画面の第２の例である。
【図１２】被評価者端末に表示される、実現力に関する設問の画面の例である。
【図１３】教育者端末に表示される画面の例である。
【図１４】採用者端末に表示される画面の例である。
【図１５】第三者端末に表示される画面の例である。
【図１６】本実施形態に係る発案力に関する評価の決定処理の一例を示すフローチャートである。
【図１７】図１３の評価一覧ページ、図１４の被評価者一覧の表示処理の一例を示すフローチャートである。
【図１８】図１５の評価平均ページの表示処理の一例を示すフローチャートである。
【発明を実施するための形態】
【００３１】
以下、各実施形態について、図面を参照しながら説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００３２】
上記の第１の課題に加えて、本実施形態では、以下の課題を解決する。第２の課題として、被評価者（例えば、生徒、採用応募者、採用候補者、被雇用者）の発案力については、特許文献１では、評価対象となっておらず、どのように評価するのか考えられておらず、実際に被評価者の発案力を評価することが難しいという問題がある。ここで発案力は、アイディア（または案）を生み出す力である。
第３の課題として、採用活動もしくは人事評価において、被評価者の思考力、判断力、表現力、能動性、発案力、実行力、行動力、コミュニケーション能力及び／または共感力の評価を基準の一つにして、採用活動もしくは人事評価を行うことが難しいという問題がある。ここで思考力は、思考する力または考える能力であり、判断力は、問題（例えば正解のない問題）に対して答える方向性を選んで決める力もしくは選択する力（選ぶ力）、または物事を正しく認識し評価する能力であり、表現力は表現する能力であり、能動性は、他からの働きかけを待たずに自ら活動する性質（または能力）である。また実行力は、組み立てられた計画を思い描く通りに計画を進めていく能力であり、行動力は自分の意志により行動を起こす能力である。コミュニケーション能力は、他者と意思疎通を上手に図る能力であり、共感力は、人の気持ちを汲んで寄り添うことができる力である。
また第４の課題として、被評価者の能動性を評価することが難しいという問題がある。
また第５の課題として、学生が志望校、受験校もしくは進学校を選択する場合において、学生は、現状では各学校の学力の偏差値に基づいて、学校を選択しており、各学校の思考力、判断力、表現力、能動性、発案力、実行力、行動力、コミュニケーション能力及び／または共感力のうち少なくとも一つに関する評価に基づいて、学校を選択することができないという問題がある。
【００３３】
図１は、本実施形態に係る情報処理システムの概略構成図である。図１に示すように、情報処理システムＳは、被評価者端末１−１〜１−Ｎ（Ｎは自然数）、教育者端末４−１〜４−Ｍ（Ｍは自然数）、採用者端末５−１〜５−Ｌ（Ｌは自然数）及び第三者端末６と通信回路網ＣＮを介して接続されたサーバ２と、サーバ２と通信回路網ＣＮを介して接続された管理者端末３とを備える。
【００３４】
サーバ２と管理者端末３は、本実施形態に係る情報処理システムＳを管理する管理団体によって使用されるものである。情報処理システムＳは、被評価者端末１−１、…、１−Ｎ、教育者端末４−１〜４−Ｍ（Ｍは自然数）、採用者端末５−１〜５−Ｌ（Ｌは自然数）及び第三者端末６を備えてもよいし、備えなくてもよいが、本実施形態では、情報処理システムＳは、被評価者端末１−１、…、１−Ｎ、教育者端末４−１〜４−Ｍ、採用者端末５−１〜５−Ｌ及び第三者端末６を備えていないものとして説明する。
【００３５】
被評価者端末１−１〜１−Ｎは、個々の被評価者（例えば、生徒、採用応募者、採用候補者、被雇用者など）が使用する端末装置であり、例えば、多機能携帯電話（いわゆるスマートフォン）などの携帯電話、タブレット、ノートパソコン、またはデスクトップパソコンなどである。本実施形態では、被評価者端末１−１〜１−Ｎには、例えばＷＥＢブラウザを介して、サーバ２から送信された情報が表示されるものとして以下説明する。
【００３６】
サーバ２は情報処理装置の一例であり、被評価者端末１−１〜１−Ｎ、管理者端末３、教育者端末４−１〜４−Ｍ、採用者端末５−１〜５−Ｌ及び第三者端末６に対して情報を提供する。管理者端末３は、本実施形態に係る情報処理システムＳを管理する管理者が使用する端末装置である。管理者端末３は、サーバ２と同じ場所にあっても異なる場所にあってもよいが、ここでは、サーバ２とは異なる場所にあるものとして説明する。
【００３７】
教育者端末４−１〜４−Ｍは、被評価者を教育する教育者（例えば、先生、被雇用者の上司もしくは経営者など）が使用する端末装置であり、例えば、多機能携帯電話（いわゆるスマートフォン）などの携帯電話、タブレット、ノートパソコン、またはデスクトップパソコンなどである。本実施形態では、教育者端末４−１〜４−Ｍには、例えばＷＥＢブラウザを介して、サーバ２から送信された情報が表示されるものとして以下説明する。
【００３８】
採用者端末５−１〜５−Ｌは、採用担当者が使用する端末装置であり、例えば、多機能携帯電話（いわゆるスマートフォン）などの携帯電話、タブレット、ノートパソコン、またはデスクトップパソコンなどである。本実施形態では、採用者端末５−１〜５−Ｌには、例えばＷＥＢブラウザを介して、サーバ２から送信された情報が表示されるものとして以下説明する。
【００３９】
第三者端末６は、第三者（例えば、志望校、受験校もしくは進学校を比較検討したい学生もしくは保護者）が使用する端末装置であり、例えば、多機能携帯電話（いわゆるスマートフォン）などの携帯電話、タブレット、ノートパソコン、またはデスクトップパソコンなどである。本実施形態では、第三者端末６には、例えばＷＥＢブラウザを介して、サーバ２から送信された情報が表示されるものとして以下説明する。
【００４０】
以下、被評価者端末１−１〜１−Ｎを総称して被評価者端末１とも呼び、教育者端末４−１〜４−Ｍを総称して教育者端末４とも呼び、採用者端末５−１〜５−Ｌを総称して採用者端末５とも呼ぶ。
【００４１】
図２は、本実施形態に係る被評価者端末の概略構成図である。図２に示すように、被評価者端末１は例えば、入力インタフェース１１と、通信回路１２と、ストレージ１３と、メモリ１４と、ディスプレイ１５と、プロセッサ１６とを備える。
入力インタフェース１１は、被評価者からの入力を受け付け、受け付けた入力に応じた入力信号をプロセッサ１６へ出力する。
通信回路１２は、通信回路網ＣＮに接続されて、通信回路網ＣＮに接続されているサーバ２と通信する。この通信は有線であっても無線であってもよいが、無線であるものとして説明する。
【００４２】
ストレージ１３には、プロセッサ１６が読み出して実行するためのプログラム及び各種のデータが格納されている。
メモリ１４は、データ及びプログラムを一時的に保持する。メモリ１４は、揮発性メモリであり、例えばＲＡＭ（Random Access Memory）である。
ディスプレイ１５は、プロセッサ１６の指令に従って情報を表示する。なお本実施形態では一例としてディスプレイ１５は被評価者端末１に内蔵であるものとして説明するが、これに限らず、被評価者端末１に外付けで接続されていてもよい。
プロセッサ１６は、ストレージ１３から本実施形態に係るプログラムをメモリ１４にロードし、当該プログラムに含まれる一連の命令を実行する。
【００４３】
図３は、本実施形態に係るサーバの概略構成図である。図３に示すように、サーバ２は、入力インタフェース２１と、通信回路２２と、ストレージ２３と、メモリ２４と、出力インタフェース２５と、プロセッサ２６とを備える。
入力インタフェース２１は、サーバ２の管理者（例えば、管理団体の従業員）からの入力を受け付け、受け付けた入力に応じた入力信号をプロセッサ２６へ出力する。
通信回路２２は、通信回路網ＣＮに接続されて、通信回路網ＣＮに接続されている被評価者端末１−１〜１−Ｎと通信する。この通信は有線であっても無線であってもよいが、有線であるものとして説明する。
【００４４】
ストレージ２３、プロセッサ２６が読み出して実行するためのプログラム及び各種のデータが格納されている。ストレージ２３、第１のストレージ２３１、及び第２のストレージ２３２を備える。
【００４５】
プロセッサ２６は、ストレージ２３からプログラムをメモリ２４にロードし、当該プログラムに含まれる一連の命令を実行することによって、設問出力部２６１、回答取得部２６２、評価出力部２６３、リアクション取得部２６４、分割部２６５、出現確率決定部２６６、記憶処理部２６７、情報出力部２６８、選択取得部２６９、統計量出力部２７０、通信制御部２７１として機能する。それぞれの処理については後述する。
【００４６】
図４は、本実施形態に係る教育者端末の概略構成図である。図４に示すように、教育者端末４は例えば、入力インタフェース４１と、通信回路４２と、ストレージ４３と、メモリ４４と、ディスプレイ４５と、プロセッサ４６とを備える。教育者端末４の構成は、被評価者端末１の構成と同様であるのでその詳細な説明を省略する。
【００４７】
図５は、本実施形態に係る採用者端末の概略構成図である。図５に示すように、採用者端末５は例えば、入力インタフェース５１と、通信回路５２と、ストレージ５３と、メモリ５４と、ディスプレイ５５と、プロセッサ５６とを備える。採用者端末５の構成は、被評価者端末１の構成と同様であるのでその詳細な説明を省略する。
【００４８】
図６は、本実施形態に係るサーバのストレージに記憶されているマスタテーブルの例である。図６に示すように、本実施形態に係るサーバ２の第３のストレージ２３３に記憶されている被評価者マスタテーブルＭ１には、被評価者を識別する被評価者識別情報である被評価者ＩＤ、当該被評価者の名前、当該被評価者が所属する学校を識別する学校識別情報である学校ＩＤ、当該被評価者の学年、当該被評価者が所属するクラスの組のレコードが蓄積されている。このように、第３のストレージ２３３には、被評価者毎に当該被評価者が所属する学校を識別する学校識別情報（ここでは一例として学校ＩＤ）が関連付けられて記憶されている。
【００４９】
また、図６に示すように本実施形態に係るサーバ２のストレージ２３に記憶されている学校マスタテーブルＭ２には、学校を識別する学校識別情報である学校ＩＤ、当該学校の学校名、当該学校の区分（例えば、高校など）、当該学校の住所の組のレコードが蓄積されている。
【００５０】
図７は、本実施形態に係るサーバのストレージに記憶されているマスタテーブルの例の続きである。図７に示すように、本実施形態に係るサーバ２のストレージ２３に記憶されている教材マスタテーブルＭ３には、設問を識別する設問識別情報である設問ＩＤ、当該設問の内容の組のレコードが蓄積されている。
図７に示すように、本実施形態に係るサーバ２のストレージ２３に記憶されている教育者マスタテーブルＭ４には、教育者を識別する教育者識別情報である教育者ＩＤ、当該教育者が所属する学校の学校ＩＤ、当該教育者が担当するクラス、当該教育者の名前の組のレコードが蓄積されている。
【００５１】
図８は、本実施形態に係るサーバのストレージに記憶されているテーブルの例である。図８に示すように、本実施形態に係るサーバ２のストレージ２３の第１のストレージ２３１に記憶されている回答蓄積テーブルＴ１には例えば、回答を識別する情報である回答ＩＤ、当該回答をした回答者を識別する情報である回答者ＩＤ、設問識別情報である設問ＩＤ、回答フィールド１の内容、回答フィールド２の内容、回答フィールド３の内容、肯定的なリアクションの一例である「いいね」の数、コメントの数、コメントした被評価者を識別する被評価者ＩＤ、当該コメントの内容の組のレコードが蓄積されている。ここで回答者は被評価者のうちの一人であるので、回答者ＩＤには被評価者ＩＤのうちの一つが割り振られる。なお、回答フィールドの数は増減があるから、回答フィールドｋ（ｋは自然数）の内容の列は増減してもよい。このように、第１のストレージ２３１には、設問に対する過去の回答が蓄積されている。これにより、設問に対する過去の回答のデータのデータベース化を実現することができる。
【００５２】
図８に示すように、本実施形態に係るサーバ２のストレージ２３の第１のストレージ２３１に記憶されているコメントテーブルＴ２には例えば、コメントを識別する情報であるコメントＩＤ、当該コメントの対象となった回答を識別する回答ＩＤ、当該コメントをしたコメント者を識別する情報であるコメント者ＩＤ、当該コメントの内容の組のレコードが蓄積されている。
【００５３】
例えば、被評価者がある設問に対する回答をした場合に、その回答に対して模範的な回答例が被評価端末１に表示されてもよい。
具体的には例えば、被評価端末１がある設問に対する回答を被評価者から受け付け、被評価端末１のプロセッサ１６がこの回答に関する情報をサーバ２へ送信する。サーバ２のプロセッサ２６は、この回答に関する情報を受信した場合、ストレージ２３の第１のストレージ２３１を参照して、リアクション（例えば、肯定的なリアクションである「いいね」の数、コメントの数、コメントの内容もしくはその一つ以上の組み合わせ）に応じて、当該設問に対する過去の回答から模範的（もしくは標準的）な回答例を決定してもよい。その場合、プロセッサ２６は、例えば、設問に対して他の被評価者の肯定的なリアクションの数が基準よりも多かった一つ以上の回答例、もしくは設問に対して他の被評価者のコメントの数が基準よりも多かった一つ以上の回答例を、模範的な回答例に決定してもよい。サーバ２の通信制御部２７１は、決定した模範的な回答例の情報を被評価端末１へ送信してもよい。そして被評価端末１のプロセッサ１６は、この模範的な回答例の情報を受信した場合、この模範的な回答例の情報をディスプレイ１５に表示させる。この構成により、被評価者に対して、当該データベースを利用して、模範的な回答例をフィードバックすることによって、被評価者の学習効果を高めることができる。なお、サーバ２の記憶処理部２６７は、この回答に関する情報を受信した場合、この回答に関する情報をストレージ２３の第１のストレージ２３１に記憶してもよい。
【００５４】
図８に示すように、本実施形態に係るサーバ２のストレージ２３の第２のストレージ２３２に記憶されている評価テーブルＴ３には例えば、被評価者を識別する被評価者識別情報である被評価者ＩＤ、思考力の評価、判断力の評価、表現力の評価、能動性の評価、発案力の評価の組のレコードが蓄積されている。第２のストレージ２３２には、被評価者の思考力、判断力、表現力、能動性、発案力、実行力、行動力、コミュニケーション能力及び共感力のうち少なくとも一つに関する評価が被評価者毎に記憶されている。ここで、発案力には、創造力及び想像力が含まれる。
【００５５】
図９は、被評価者端末に表示される、気づく力に関する設問の画面の一例である。図９に示すように、気づく力に関する設問の画面Ｇ１には、被評価者が対象となる行動を入力するための入力ボックスＲ１１と、被評価者が行動の流れとそれに対応する「違和感」や「もっと○○」と思うことを入力するための入力ボックスＲ１２が示されている。このような画面Ｇ１を表示するために、設問出力部２６１は、気づく力に関する設問を提供するための情報（例えば、画面Ｇ１を表示するための情報）を出力する。
【００５６】
図１０は、被評価者端末に表示される、発案力に関する設問の画面の第１の例である。図１０に示すように、発案力に関する設問の画面の第１の画面Ｇ２には、被評価者が解決したい課題を選択ためのセレクトボックスＲ２１と、被評価者がその課題の原因と対応する理想状況を入力するための入力ボックスＲ２２が示されている。
【００５７】
図１１は、被評価者端末に表示される、発案力に関する設問の画面の第２の例である。図１１に示すように、発案力に関する設問の画面の第２の画面Ｇ３には、被評価者が、図１０で入力された理想状況を叶えるためのアイディアを入力するための入力ボックスＲ３１が示されている。このような画面Ｇ２、Ｇ３を表示するために、設問出力部２６１は、発案力に関する設問を提供するための情報（例えば、画面Ｇ２、Ｇ３を表示するための情報）を出力する。
【００５８】
図１２は、被評価者端末に表示される、実現力に関する設問の画面の例である。図１２に示すように、実現力に関する設問の画面Ｇ４には、被評価者が、図１１で入力されたアイディアを選択するためのセレクトボックスＲ４１、選択したアイディアをどのようにして実現するか入力するための入力ボックスＲ４２及び巻き込めるヒト、モノ、情報を入力するための入力ボックスＲ４３が示されている。このような画面Ｇ４を表示するために、設問出力部２６１は、実現力に関する設問を提供するための情報（例えば、画面Ｇ４を表示するための情報）を出力する。
【００５９】
このように、設問出力部２６１は、気づく力に関する設問、発案力に関する設問、または実現力に関する設問を提供するための情報を出力する。そして、評価出力部２６３は、気づく力に関する設問に対する回答、発案力に関する設問に対する回答及び実現力に関する設問に対する回答のうち少なくとも一つの回答に関する情報を用いて、前記被評価者の能動性に関する評価を出力する。ここで評価は、本実施形態では一例として定量的な評価であって、スコア（数値）で表される。スコア化（数値化）は、絶対評価を表す絶対値であっても、他の被評価者（例えば、生徒）との間の相対評価を表す相対値であってもよい。但し、テストの設問による差を最小限にするために、相対値を利用することが好ましい。相対値としては、偏差値などが利用可能である。なお評価は、定量的な評価だけでなく定性的な評価であってもよい。
【００６０】
スコア化に際して例えば、評価出力部２６３は、回答数が多いほど、被評価者の能動性に関する評価を高く設定してもよい。また、評価出力部２６３は、例えば、回答に対する他の被評価者のリアクション（例えば、評価（肯定する評価）またはコメント）を用いて、被評価者の能動性に関する評価を出力してもよい。具体的にはスコア化に際して、評価出力部２６３は、例えば、回答に対する他の被評価者の肯定する評価が多いほど、被評価者の能動性に関する評価を高く設定してもよい。具体的には、評価出力部２６３は、例えば、コメントの数（あるいは肯定的ななコメントの数）が多いほど、被評価者の能動性に関する評価を高く設定してもよい。
【００６１】
この構成によれば、被評価者の能動性を伸ばすことができるとともに、被評価者の能動性を評価することができる。特に、設問出力部２６１は、気づく力に関する設問、発案力に関する設問、または実現力に関する設問を提供するための情報を出力することが好ましい。これにより、段階的に被評価者の能動性を伸ばすことができる。
【００６２】
図１３は、教育者端末に表示される画面の例である。図１３に示すように、画面Ｇ５には例えば、教育者端末を使用する教育者（例えば、教師）が担当するクラスの被評価者（例えば、生徒）それぞれ毎に、被評価者名、思考力の評価、判断力の評価、表現力の評価、能動性の評価、発案力の評価が示されている。このような画面Ｇ５を表示するために、まず、評価出力部２６３は、被評価者による回答に関する情報を用いて、当該被評価者の思考力、判断力、表現力、能動性、発案力、実行力、行動力、コミュニケーション能力及び共感力のうち少なくとも一つに関する評価を出力する。そして、記憶処理部２６７は、被評価者の思考力、判断力、表現力、能動性、発案力、実行力、行動力、コミュニケーション能力及び共感力のうち少なくとも一つに関する評価を被評価者毎に第２のストレージ２３２に記憶させる。そして情報出力部２６８は、第２のストレージ２３２を参照して、被評価者毎の評価を提供するための情報（例えば、画面Ｇ５を表示するための情報）を出力する。
【００６３】
この構成によれば、教育者（例えば、教師）は、担当する被評価者（例えば、生徒）それぞれの思考力、判断力、表現力、能動性、発案力、実行力、行動力、コミュニケーション能力及び共感力のうち少なくとも一つに関する評価を把握することができ、被評価者それぞれが足りない能力（伸ばすべき能力）を把握することができるので、被評価者それぞれ毎に応じた指導をすることができる。
【００６４】
図１４は、採用者端末に表示される画面の例である。図１４に示すように、画面Ｇ６には例えば、被評価者（例えば、生徒）それぞれ毎に、被評価者のイニシャル、思考力の評価、判断力の評価、表現力の評価、能動性の評価、発案力の評価が示されており、「アウトプット」ボタンＢ７１、「面接依頼」ボタンＢ７２が示されている。この画面Ｇ６を表示するために、上述したように、まず、評価出力部２６３は、被評価者による回答に関する情報を用いて、当該被評価者の思考力、判断力、表現力、能動性、発案力、実行力、行動力、コミュニケーション能力及び共感力のうち少なくとも一つに関する評価を出力する。そして、記憶処理部２６７は、被評価者の思考力、判断力、表現力、能動性、発案力、実行力、行動力、コミュニケーション能力及び共感力のうち少なくとも一つに関する評価を被評価者毎に第２のストレージ２３２に記憶させる。そして情報出力部２６８は、第２のストレージ２３２を参照して、被評価者毎の評価を提供するための情報（例えば、画面Ｇ６を表示するための情報）を出力する。通信制御部２７１は、この被評価者毎の評価を提供するための情報を採用者端末５へ送信するよう通信回路２２を制御する。
【００６５】
この構成によれば、採用担当者は、被評価者（例えば、採用応募者もしくは採用候補者）それぞれの思考力、判断力、表現力、能動性、発案力、実行力、行動力、コミュニケーション能力及び共感力のうち少なくとも一つに関する評価を把握することができ、採用基準を満たす能力を有する人材を容易に見つけることができ、採用に係る工数を減少させることができる。
【００６６】
画面Ｇ６において、ある被評価者の「アウトプット」ボタンＢ７１が押された場合、情報出力部は、当該選択された被評価者が過去に行った回答が表示される。これを実現するために、第２のストレージ２３２には、被評価者による回答が被評価者毎に記憶されている。選択取得部２６９は、採用者による被評価者の選択を取得する。そして、情報出力部２６８は、当該選択された被評価者の回答を第２のストレージ２３２から読み出し、当該読み出した回答を提供するための情報を出力する。通信制御部２７１は、この回答を提供するための情報を採用者端末５へ送信するよう通信回路２２を制御する。
【００６７】
この構成によれば、採用担当者は、被評価者（例えば、採用応募者もしくは採用候補者）の実際の回答内容を把握することができ、採用基準を満たす能力を有する被評価者について更に詳しく回答内容を精査することができ、被評価者が、採用担当者の会社にマッチしているかどうかをより深く精査することができる。
【００６８】
図１５は、第三者端末に表示される画面の例である。図１５に示すように、画面Ｇ７には例えば、学校毎に、思考力の評価の平均、判断力の評価の平均、表現力の評価の平均、能動性の評価の平均、発案力の評価の平均が示されている。これにより、第三者端末を使用する第三者は、学校毎に、各能力の平均を比較することができるので、例えば自分が伸ばしたい能力が高い学校を選択することができる。
【００６９】
これを実現するために、統計量出力部２７０は、思考力、判断力、表現力、能動性、発案力、実行力、行動力、コミュニケーション能力及び共感力のうち少なくとも一つに関する評価についての学校毎の統計量（ここでは一例として平均値）を提供するための情報を出力する。通信制御部２７１は、この統計量を提供するための情報を採用者端末５へ送信するよう通信回路２２を制御する。なお、統計量は、だが、平均値に限らず、中央値、最頻値、偏差値などであってもよい。
【００７０】
この構成によれば、学生もしくは当該学生の保護者が志望校、受験校もしくは進学校を選択する場合において、各能力の統計量を学校間で比較することができるので、各学校の思考力、判断力、表現力、能動性、発案力、実行力、行動力、コミュニケーション能力及び共感力のうち少なくとも一つに関する評価に基づいて、志望校、受験校もしくは進学校を選択することができる。
【００７１】
以下、本実施形態における処理について図１６〜図１８を用いて説明する。以下では一例として、被評価者は生徒であり、教育者は先生であるものとして説明する。図１６は、本実施形態に係る発案力に関する評価の決定処理の一例を示すフローチャートである。
【００７２】
（ステップＳ１０）被評価者端末１−ｉ（ｉは自然数）のプロセッサ１６は、設問ページへ移動する操作を受け付ける。
【００７３】
（ステップＳ２０）被評価者端末１−ｉのプロセッサ１６は、ステップＳ１０の操作を受け付けた場合、設問ページをサーバ２へ要求する。
【００７４】
（ステップＳ３０）ステップＳ２０の要求に応じて、サーバ２の設問出力部２６１は、被評価者に設問を提供するための情報（ここでは一例として設問ページ）を出力する。そしてサーバ２の通信制御部２７１は、この設問ページを送信するよう制御する。
【００７５】
（ステップＳ４０）被評価者端末１−ｉのプロセッサ１６は、ステップＳ３０で送信された設問ページを受信した場合、当該設問ページを表示するよう制御する。
【００７６】
（ステップＳ５０）次に、被評価者端末１−ｉのプロセッサ１６は、設問ページにおいて生徒による回答を受け付ける。
【００７７】
（ステップＳ６０）次に、被評価者端末１−ｉのプロセッサ１６は、ステップＳ５０で回答を受け付けた場合、当該設問の設問ＩＤと回答の組をサーバ２へ送信するよう制御する。
【００７８】
（ステップＳ７０）サーバ２の回答取得部２６２は、通信回路２２がステップＳ６０で送信された設問の設問ＩＤと回答の組を受信した場合、この回答を取得する。このように、サーバ２の回答取得部２６２は、設問に対する被評価者の回答を取得する。次に、サーバ２の評価出力部２６３は、被評価者の発案力に関する評価を出力する。その際、サーバ２の評価出力部２６３は、例えば、回答の数、回答を開始するまでに要する時間、及び／または回答に含まれる単語の独自性を用いて、被評価者の発案力に関する評価を出力する。具体的には例えば、サーバ２の評価出力部２６３は、回答の数が多いほど発案力に関する評価を高くし、回答を開始するまでに要する時間が短いほど発案力に関する評価を高くし、回答に含まれる単語の独自性が高いほど発案力に関する評価を高くする。このように、発案力に関する評価を自動で評価することができるので、被評価者の発案力を評価することを容易化することができる。
【００７９】
その具体例として以下の処理を行ってもよい。例えば、分割部２６５は、取得された回答を単語に分割する。この分割処理は、既存の形態素解析の方法を用いてもよい。出現確率決定部２６６は、第１のストレージ２３１を参照して、当該分割された単語それぞれについて、同じ設問に対する過去の回答における出現確率を当該単語の独自性として決定する。評価出力部２６３は、当該決定された出現確率を少なくとも用いて、被評価者の発案力に関する評価を出力する。この構成により、評価出力部２６３は、出現頻度が低い単語を含む回答をした者の発案力に関する評価を高くし、出現頻度が高い単語を含む回答をした者の発案力に関する評価を低くすることができ、個性的な回答をした被評価者の評価を高くすることができる。その結果、被評価者が個性的な回答をするように誘導することができる。
【００８０】
この評価の出力の際に、評価出力部２６３は、当該決定された出現確率の中に、一つでも設定基準を下回る確率がある場合、一つでも設定基準を下回る確率がない場合と比べて発案力に関する評価が高くなるように当該発案力に関する評価を出力してもよい。この構成により、出現頻度が低い単語を含む回答をした者の発案力に関する評価を高くすることにより、被評価者が個性的な回答をするように誘導することができる。
【００８１】
（ステップＳ８０）次に評価出力部２６３は、出力した評価をストレージ２３に保存させる。
【００８２】
（ステップＳ９０）被評価者端末１−ｊ（ｊはｉとは異なる自然数）のプロセッサ１６は、他の生徒から回答一覧ページへ移動する操作を受け付ける。
【００８３】
（ステップＳ１００）被評価者端末１−ｊのプロセッサ１６は、ステップＳ９０で回答一覧ページへ移動する操作を受け付けた場合、回答一覧をサーバ２へ要求する。
【００８４】
（ステップＳ１１０）サーバ２のプロセッサ２６は、ステップＳ１００の要求に応じて、回答一覧を被評価者端末１−ｊへ送信するよう制御する。
【００８５】
（ステップＳ１２０）被評価者端末１−ｊのプロセッサ１６は、回答一覧を受信した場合、この回答一覧を表示するよう制御する。
【００８６】
（ステップＳ１３０）被評価者端末１−ｊのプロセッサ１６は、回答一覧に含まれる生徒の回答に対する他の生徒のリアクション（例えば、評価及び／またはコメントなど）を受け付ける。ここで評価については、ポジティブは評価とネガティブな評価が含まれる。
【００８７】
（ステップＳ１４０）被評価者端末１−ｊのプロセッサ１６は、ステップＳ１３０で受け付けたリアクションをサーバ２へ送信するよう制御する。
【００８８】
（ステップＳ１５０）リアクション取得部２６４は、通信回路２２がステップＳ１４０で送信されたリアクションを受信した場合、このリアクションを取得する。このように、リアクション取得部２６４は、被評価者の回答に対する他の被評価者のリアクションを取得する。評価出力部２６３は、回答に関する情報（例えば、回答の数、前記回答を開始するまでに要する時間、及び／または前記回答に含まれる単語の独自性）に加えて当該他の被評価者のリアクションを用いて、発案力に関する評価を再出力する。具体的には例えば、評価出力部２６３は、ポジティブな評価（例えば、いいね）を受けた数が多いほど発案力に関する評価を高くしてもよいし、ポジティブな評価の数からネガティブな評価の数を減算した数が多いほど発案力に関する評価を高くしてもよいし、コメントの分量もしくはコメント数が多いほど発案力に関する評価を高くしてもよいし、コメントの内容に応じて発案力に関する評価を変えてもよいし、これらを組みあわせてもよい。
この構成により、被評価者の発案力の評価について、他の被評価者のリアクションを加味して決定することができるので、より他の被評価者を納得させる回答をした者の評価を高めることができるので、より客観的に評価することができる。
【００８９】
なお、評価出力部２６３は、回答に関する情報に加えて当該他の被評価者のリアクションを用いて、発案力に関する評価を出力したが、これに限らず、他の被評価者のリアクションだけを用いてもしくは少なくとも他の被評価者のリアクションを用いて、発案力に関する評価を出力してもよい。
【００９０】
また、評価出力部２６３は、評価対象は、発案力だけに限らず、思考力、判断力、表現力、能動性、及び／または実行力、行動力、コミュニケーション能力、共感力、影響力であってよい。このように、評価出力部２６３は、回答に関する情報に加えて前記他の被評価者のリアクションを用いて、前記被評価者の思考力、判断力、表現力、能動性、発案力、実行力、行動力、コミュニケーション能力、共感力及び影響力のうち少なくとも一つに関する評価を出力してもよい。また、評価出力部２６３は、他の被評価者のリアクションだけを用いてもしくは少なくとも他の被評価者のリアクションを用いて、当該被評価者の思考力、判断力、表現力、能動性、発案力、実行力、行動力、コミュニケーション能力、共感力及び影響力のうち少なくとも一つに関する評価を出力してもよい。
【００９１】
例えば評価出力部２６３は、他の被評価者に対してポジティブな評価をした数（例えば、いいねをした数）と自らがポジティブな評価を受けた数（例えば、いいねをもらった数）に応じて、コミュニケーション能力もしくは共感力に関する評価を決定してもよい。例えば評価出力部２６３はポジティブな評価をした数（例えば、いいねをした数）がポジティブな評価を受けた数（例えば、いいねをもらった数）よりも基準以上少ない場合、コミュニケーション能力に関する評価もしくは共感力に関する評価を下げてもよい。
例えば評価出力部２６３は、例えば学校のあるクラスＡの１人あたりのいいねを受けた数の平均が２．１で別のクラスの平均が１．６の場合、クラスＡの生徒の場合は、２．１の倍の４．２以上のいいねを受けた場合に、共感力の評価を上げてもよく、クラスＢの生徒の場合は、１．６の倍の３．２以上のいいねを受けた場合に、共感力を上げてもよい。このように、評価出力部２６３は、対象となる被評価者がポジティブな評価を受けた数を、クラス毎のポジティブな評価を受けた数の統計量と比較し、この比較結果に応じて、共感力を決定してもよい。
【００９２】
例えば評価出力部２６３は、コメントを幅広い対象の人に対して付けている生徒は、コミュニケーション能力の評価をあげてもよい。例えば評価出力部２６３は、コメントをつけた対象人物の数が、同じクラスの平均の数よりも3倍高い場合には、コミュニケーション能力をあげてもよい。
例えば評価出力部２６３は、ポジティブな評価（例えば、いいね）を受けた数及び／またはポジティブな評価（例えば、いいね）をした数に応じて、共感力を決定してもよい。例えば評価出力部２６３は、ポジティブな評価（例えば、いいね）を受けた数が多いほど共感力の評価を高くしてもよいし、ポジティブな評価（例えば、いいね）を受けた数が他の生徒の平均よりも高い場合に、共感力の評価を平均より高くしてもよい。例えば評価出力部２６３は、ポジティブな評価（例えば、いいね）をした数が多いほど共感力を高くしてもよいし、ポジティブな評価（例えば、いいね）をした数が他の生徒の平均よりも高い場合に、共感力の評価を平均より高くしてもよい。
例えば評価出力部２６３は、コメントの数及び／またはコメントの分量に応じて、コミュニケーション能力を決定してもよい。例えば評価出力部２６３はコメントの数もしくは分量が多いほど、コミュニケーション能力の評価を高くしてもよい。
例えば評価出力部２６３は、実行力もしくは行動力に関する設問に対する回答に応じて、実行力もしくは行動力を決定してもよい。例えば評価出力部２６３は、実行力もしくは行動力に関する設問に対する回答数が多いほど、実行力もしくは行動力の評価を高くしてもよい。
【００９３】
例えば評価出力部２６３は、クラスにおけるポジティブな評価（例えば、いいね）の総数またはコメントの総数が多いほど、教育者（例えば、教師）の指導力もしくは運営力の評価を高くしてもよい。
例えば評価出力部２６３はクラスの中で、幅広い生徒（例えば、設定人数以上の生徒）に対して、ポジティブな評価（例えば、いいね）もしくはコメントが（例えば、一定数以上）集まっている場合に、教育者（例えば、教師）の運営力の評価を高くしてもよい。
例えば評価出力部２６３は、能動性を向上させるための設問に対して出現頻度が規準以上低い単語を回答している生徒が少なくとも一人以上いる場合（特に例えば、複数名いる場合）に、その教育者（例えば、教師）が生徒の能動性を引き上げられているので、教育者（例えば、教師）のファシリテーション能力の評価を高くしてもよい。
このように、評価出力部２６３は、被評価者の回答及び／または当該回答に対する他の被評価者のリアクション（例えば、ポジティブな評価及び／またはコメント）を用いて、教育者（例えば、教師）の能力を評価してもよい。この構成によれば、教育者を評価することができる。
【００９４】
（ステップＳ１６０）評価出力部２６３は、ステップＳ１５０で再出力された評価で、ストレージ２３に保存された評価を更新する。
【００９５】
図１７は、図１３の評価一覧ページ、図１４の被評価者一覧の表示処理の一例を示すフローチャートである。
【００９６】
（ステップＳ２１０）まず教育者端末４のプロセッサ４６は、担当クラスの評価一覧ページへ移動する操作を教師から受け付ける。
【００９７】
（ステップＳ２２０）教育者端末４のプロセッサ４６は、ステップＳ２１０で操作を受け付けた場合、評価一覧ページをサーバ２へ要求する。
【００９８】
（ステップＳ２３０）ステップＳ２２０の要求に応じて、サーバ２の情報出力部２６８は第２のストレージ２３２を参照して、評価一覧ページを被評価者毎の評価を提供するための情報として出力し、通信制御部２７１はこの評価一覧ページを採用者端末５へ送信するよう制御する。
【００９９】
（ステップＳ２４０）教育者端末４のプロセッサ４６は、評価一覧ページを受信した場合、この評価一覧ページを表示するよう制御する。これにより、図１３のような評価一覧ページが表示される。
【０１００】
（ステップＳ２５０）次に、採用者端末５のプロセッサ５６は、被評価者一覧ページへ移動する操作を採用担当者から受け付ける。
【０１０１】
（ステップＳ２６０）採用者端末５のプロセッサ５６は、ステップＳ２５０で操作を受け付けた場合、被評価者一覧ページをサーバ２へ要求する。
【０１０２】
（ステップＳ２７０）ステップＳ２６０の要求に応じて、サーバ２の情報出力部２６８は第２のストレージ２３２を参照して、被評価者一覧ページを被評価者毎の評価を提供するための情報として出力し、通信制御部２７１はこの被評価者一覧ページを採用者端末５へ送信するよう制御する。
【０１０３】
（ステップＳ２８０）採用者端末５のプロセッサ５６は、被評価者一覧ページを受信した場合、この被評価者一覧ページを表示するよう制御する。これにより、図１４のような被評価者一覧ページが表示される。
【０１０４】
（ステップＳ２９０）採用者端末５のプロセッサ５６は、特定の生徒の回答を閲覧するためのアウトプットボタンの選択を採用担当者から受け付ける。
【０１０５】
（ステップＳ３００）採用者端末５のプロセッサ５６は、ステップＳ２５０で選択を受け付けた場合、選択された生徒の被評価者ＩＤをサーバ２へ送信するとともに当該被評価者の回答をサーバ２へ要求する。
【０１０６】
（ステップＳ３１０）サーバ２の情報出力部２６８は、当該選択された被評価者の回答を第２のストレージ２３２から読み出し、当該読み出した回答を提供するための情報を出力し、通信制御部２７１はこの回答を提供するための情報を採用者端末５へ送信するよう制御する。
【０１０７】
（ステップＳ３２０）採用者端末５のプロセッサ５６は、回答を提供するための情報を受信した場合、この回答を提供するための情報を表示するよう制御する。これにより、選択された生徒の回答が表示される。
【０１０８】
図１８は、図１５の評価平均ページの表示処理の一例を示すフローチャートである。
【０１０９】
（ステップＳ４１０）まず第三者端末６のプロセッサは、学校毎の評価平均ページへ移動する操作を第三者から受け付ける。
【０１１０】
（ステップＳ４２０）第三者端末６のプロセッサは、ステップＳ４１０で操作を受け付けた場合、評価平均ページをサーバ２へ要求する。
【０１１１】
（ステップＳ４３０）ステップＳ４２０の要求に応じて、サーバ２の統計量出力部は第２のストレージ２３２及び第３のストレージ２３３を参照して、被評価者毎の思考力、判断力、表現力、能動性、発案力、実行力、行動力、コミュニケーション能力及び共感力のうち少なくとも一つに関する評価の学校毎の統計量を提供するための情報（ここでは一例として評価平均ページ）を出力し、通信制御部２７１はこの評価平均ページを第三者端末６へ送信するよう制御する。
【０１１２】
（ステップＳ４４０）教育者端末４のプロセッサ４６は、評価平均ページを受信した場合、この評価平均ページを表示するよう制御する。これにより、図１５のような評価平均ページ表示される。
【０１１３】
以上、本実施形態に係る情報処理システムは、被評価者に設問を提供するための情報を出力する設問出力部２６１と、当該設問に対する被評価者の回答を取得する回答取得部２６２と、当該回答の数、当該回答を開始するまでに要する時間、及び／または当該回答に含まれる単語の独自性を用いて、当該被評価者の発案力に関する評価を出力する評価出力部２５３と、を備える。
【０１１４】
この構成により、回答の数が多いほど発案力に関する評価を高くし、回答を開始するまでに要する時間が短いほど発案力に関する評価を高くし、回答に含まれる単語の独自性が高いほど発案力に関する評価を高くすることができる。このように、発案力に関する評価を自動で評価することができるので、被評価者の発案力を評価することを容易化することができる。
【０１１５】
なお、上述した実施形態で説明したサーバ２の少なくとも一部は、ハードウェアで構成してもよいし、ソフトウェアで構成してもよい。ハードウェアで構成する場合には、サーバ２の少なくとも一部の機能を実現するプログラムをフレキシブルディスクやＣＤ−ＲＯＭ等の記録媒体に収納し、コンピュータに読み込ませて実行させてもよい。記録媒体は、磁気ディスクや光ディスク等の着脱可能なものに限定されず、ハードディスク装置やメモリなどの固定型の記録媒体でもよい。
【０１１６】
また、サーバ２の少なくとも一部の機能を実現するプログラムを、インターネット等の通信回線（無線通信も含む）を介して頒布してもよい。さらに、同プログラムを暗号化したり、変調をかけたり、圧縮した状態で、インターネット等の有線回線や無線回線を介して、あるいは記録媒体に収納して頒布してもよい。
【０１１７】
さらに、一つまたは複数の情報処理装置によってサーバ２を機能させてもよい。複数の情報処理装置を用いる場合、情報処理装置のうちの１つをコンピュータとし、当該コンピュータが所定のプログラムを実行することにより情報処理システム１の少なくとも１つの手段として機能が実現されてもよい。
【０１１８】
また、方法の発明においては、全ての工程（ステップ）をコンピュータによって自動制御で実現するようにしてもよい。また、各工程をコンピュータに実施させながら、工程間の進行制御を人の手によって実施するようにしてもよい。また、さらには、全工程のうちの少なくとも一部を人の手によって実施するようにしてもよい。
【０１１９】
以上、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。更に、異なる実施形態にわたる構成要素を適宜組み合わせてもよい。
【符号の説明】
【０１２０】
１、１−１〜１−Ｎ  被評価者端末
１１  入力インタフェース
１２  通信回路
１３  ストレージ
１４  メモリ
１５  ディスプレイ
１６  プロセッサ
２  サーバ
２１  入力インタフェース
２２  通信回路
２３  ストレージ
２３１  第１のストレージ
２３２  第２のストレージ
２３３  第３のストレージ
２４  メモリ
２５  出力インタフェース
２６  プロセッサ
２６１  設問出力部
２６２  回答取得部
２６３  評価出力部
２６４  リアクション取得部
２６５  分割部
２６６  出現確率決定部
２６７  記憶処理部
２６８  情報出力部
２６９  選択取得部
２７０  統計量出力部
２７１  通信制御部
３  管理者端末
４  教育者端末
４１  入力インタフェース
４２  通信回路
４３  ストレージ
４４  メモリ
４５  ディスプレイ
４６  プロセッサ
５  採用者端末
５１  入力インタフェース
５２  通信回路
５３  ストレージ
５４  メモリ
５５  ディスプレイ
５６  プロセッサ
ＣＮ  通信回路網
Ｓ  情報処理システム
【図１】
2020170460.tif 000003
【図２】
2020170460.tif 000004
【図３】
2020170460.tif 000005
【図４】
2020170460.tif 000006
【図５】
2020170460.tif 000007
【図６】
2020170460.tif 000008
【図７】
2020170460.tif 000009
【図８】
2020170460.tif 000010
【図９】
2020170460.tif 000011
【図１０】
2020170460.tif 000012
【図１１】
2020170460.tif 000013
【図１２】
2020170460.tif 000014
【図１３】
2020170460.tif 000015
【図１４】
2020170460.tif 000016
【図１５】
2020170460.tif 000017
【図１６】
2020170460.tif 000018
【図１７】
2020170460.tif 000019
【図１８】
2020170460.tif 000020
【手続補正書】
【提出日】令和1年12月6日(2019.12.6)
【手続補正１】
【補正対象書類名】特許請求の範囲
【補正対象項目名】全文
【補正方法】変更
【補正の内容】
【特許請求の範囲】
【請求項１】
ストレージに記憶された設問に関する情報を出力する設問出力部と、
入力インタフェースを介して入力された前記設問に対する被評価者の回答を取得する回答取得部と、
設問に対する過去の回答が蓄積されている第１のストレージと、
前記取得された回答を単語に分割する分割部と、
前記第１のストレージを参照して、前記分割された単語それぞれについて、同じ設問に対する過去の回答における出現確率を前記単語の独自性として決定する出現確率決定部と、
前記決定された出現確率を少なくとも用いて、前記被評価者の発案力に関する評価を決定して出力する評価出力部と、
を備える情報処理システム。
【請求項２】
前記評価出力部は、前記決定された出現確率の中に、一つでも設定基準を下回る確率がある場合、一つでも設定基準を下回る確率がない場合と比べて前記発案力に関する評価が高くなるように当該発案力に関する評価を決定して出力する
請求項１に記載の情報処理システム。
【請求項３】
ストレージに記憶された気づく力に関する自由記入方式の設問、発案力に関する自由記入方式の設問、または実現力に関する自由記入方式の設問を提供するための情報を出力する設問出力部と、
入力インタフェースを介して入力された前記設問に対する被評価者の回答を取得する回答取得部と、
入力インタフェースを介して入力された前記被評価者の回答に対する他の被評価者のリアクションを取得するリアクション取得部と、
前記気づく力に関する自由記入方式の設問に対する回答、発案力に関する自由記入方式の設問に対する回答及び実現力に関する自由記入方式の設問に対する回答のうち少なくとも一つの回答の数及び／または当該回答に対する他の被評価者のリアクションの数を予め決められた評価ルールに適用して、前記被評価者の能動性に関する評価を決定して出力する評価出力部と、
を備える情報処理システム。
【請求項４】
ストレージに記憶された設問に関する情報を出力する設問出力部と、
入力インタフェースを介して入力された前記設問に対する被評価者の回答を取得する回答取得部と、
入力インタフェースを介して入力された前記被評価者の回答に対する他の被評価者のリアクションを取得するリアクション取得部と、
少なくとも当該回答に対する他の被評価者のリアクションを予め決められた評価ルールに適用して、教育者の能力に関する評価を決定して出力する評価出力部と、
を備える情報処理システム。
【請求項５】
コンピュータを、
ストレージに記憶された設問に関する情報を出力する設問出力部と、
前記設問に対する被評価者の回答を取得する回答取得部と、
前記取得された回答を単語に分割する分割部と、
入力インタフェースを介して入力された設問に対する過去の回答が蓄積されている第１のストレージを参照して、前記分割された単語それぞれについて、同じ設問に対する過去の回答における出現確率を前記単語の独自性として決定する出現確率決定部と、
前記決定された出現確率を少なくとも用いて、前記被評価者の発案力に関する評価を決定して出力する評価出力部と、
として機能させるためのプログラム。
【請求項６】
コンピュータを、
ストレージに記憶された気づく力に関する自由記入方式の設問、発案力に関する自由記入方式の設問、または実現力に関する自由記入方式の設問を提供するための情報を出力する設問出力部と、
入力インタフェースを介して入力された前記設問に対する被評価者の回答を取得する回答取得部と、
入力インタフェースを介して入力された前記被評価者の回答に対する他の被評価者のリアクションを取得するリアクション取得部と、
前記気づく力に関する自由記入方式の設問に対する回答、発案力に関する自由記入方式の設問に対する回答及び実現力に関する自由記入方式の設問に対する回答のうち少なくとも一つの回答の数及び／または当該回答に対する他の被評価者のリアクションの数を予め決められた評価ルールに適用して、前記被評価者の能動性に関する評価を決定して出力する評価出力部と、
として機能させるためのプログラム。
【請求項７】
ストレージに記憶された設問に関する情報を出力する設問出力部と、
入力インタフェースを介して入力された前記設問に対する被評価者の回答を取得する回答取得部と、
入力インタフェースを介して入力された前記被評価者の回答に対する他の被評価者のリアクションを取得するリアクション取得部と、
少なくとも当該回答に対する他の被評価者のリアクションを予め決められた評価ルールに適用して、教育者の能力に関する評価を決定して出力する評価出力部と、
として機能させるためのプログラム。
【手続補正書】
【提出日】令和2年4月30日(2020.4.30)
【手続補正１】
【補正対象書類名】特許請求の範囲
【補正対象項目名】全文
【補正方法】変更
【補正の内容】
【特許請求の範囲】
【請求項１】
ストレージに記憶された設問に関する情報を出力する設問出力部と、
入力インタフェースを介して入力された前記設問に対する被評価者の回答を取得する回答取得部と、
設問に対する過去の回答が蓄積されている第１のストレージと、
前記取得された回答を単語に分割する分割部と、
前記第１のストレージを参照して、前記分割された単語それぞれについて、同じ設問に対する過去の回答における出現確率を前記単語の独自性として決定する出現確率決定部と、
前記決定された出現確率を少なくとも用いて、前記被評価者の発案力に関する評価を決定して出力する評価出力部と、
を備える情報処理システム。
【請求項２】
前記評価出力部は、前記決定された出現確率の中に、一つでも設定基準を下回る確率がある場合、一つでも設定基準を下回る確率がない場合と比べて前記発案力に関する評価が高くなるように当該発案力に関する評価を決定して出力する
請求項１に記載の情報処理システム。
【請求項３】
コンピュータを、
ストレージに記憶された設問に関する情報を出力する設問出力部と、
前記設問に対する被評価者の回答を取得する回答取得部と、
前記取得された回答を単語に分割する分割部と、
入力インタフェースを介して入力された設問に対する過去の回答が蓄積されている第１のストレージを参照して、前記分割された単語それぞれについて、同じ設問に対する過去の回答における出現確率を前記単語の独自性として決定する出現確率決定部と、
前記決定された出現確率を少なくとも用いて、前記被評価者の発案力に関する評価を決定して出力する評価出力部と、
として機能させるためのプログラム。